(57)【要約】【課題】鋼板と耐火材とからなる層間塞ぎを、床部材と外壁部材との間に確実かつ容易に施工できる層間塞ぎ部材を提供すること。【解決手段】層間塞ぎ部材１０は、床スラブ２０とカーテンウォール３０との隙間を塞ぐ。この層間塞ぎ部材１０は、基部１１と、この基部１１に設けられて弾性変形可能な変形部１２と、基部１１または変形部１２に支持されたロックウール１３と、を備える。変形部１２は、基部１１が床スラブ２０に取り付けられた状態では、床スラブ２０とカーテンウォール３０との隙間に位置して、カーテンウォール３０に押圧されて変形する。【選択図】図２
2010059741.tif 000002
【特許請求の範囲】
【請求項１】
床部材と外壁部材との隙間を塞ぐ層間塞ぎ部材であって、
基部と、当該基部に設けられて弾性変形可能な変形部と、前記基部または変形部に支持された耐火材と、を備え、
前記変形部は、前記基部が前記床部材に取り付けられた状態では、前記隙間に位置して、前記床部材および前記外壁部材のうち少なくとも一方に押圧されて変形することを特徴とする層間塞ぎ部材。
【請求項２】
請求項１に記載の層間塞ぎ部材において、
前記床部材は、鉄骨梁柱架構上にコンクリート止め型枠を取り付けて、このコンクリート止め型枠の内側に床コンクリートを打設することにより形成され、
前記基部は、矩形平板状であり、前記コンクリート止め型枠に固定され、
前記変形部は、前記基部の一辺縁から延出する湾曲した矩形状であることを特徴とする層間塞ぎ部材。
【請求項３】
請求項１に記載の層間塞ぎ部材において、
前記床部材は、鉄骨梁上にコンクリート止め型枠を取り付けて、このコンクリート止め型枠で囲まれた領域に床コンクリートを打設することにより形成され、
前記基部は、矩形平板状であり、前記鉄骨梁に固定され、
前記変形部は、前記基部の一辺縁から延出する湾曲した矩形状であることを特徴とする層間塞ぎ部材。
【請求項４】
床部材と外壁部材との隙間を塞ぐ層間塞ぎ方法であって、
建物外周の鉄骨梁柱架構上にコンクリート止め型枠を取り付ける第１の手順と、
基部および当該基部に設けられて弾性変形可能な変形部を備える層間塞ぎ部材を前記コンクリート止め型枠の外側に配置し、前記基部を前記コンクリート止め型枠に固定する第２の手順と、
外壁部材を取り付けて、当該外壁部材で前記層間塞ぎ部材の変形部を押圧して変形させる第３の手順と、
前記コンクリート止め型枠の内側に床コンクリートを打設して床部材を形成する第４の手順と、
前記層間塞ぎ部材の基部と変形部との間に耐火材を詰め込む第５の手順と、を備えることを特徴とする層間塞ぎ方法。
【請求項５】
床部材と外壁部材との隙間を塞ぐ層間塞ぎ方法であって、
建物外周の鉄骨梁柱架構上に、コンクリート止め型枠を取り付ける第１の手順と、
基部および当該基部に設けられて弾性変形可能な変形部を備える層間塞ぎ部材を前記コンクリート止め型枠の外側に配置し、前記基部を前記コンクリート止め型枠に固定する第２の手順と、
前記コンクリート止め型枠の内側に床コンクリートを打設して床部材を形成する第３の手順と、
前記層間塞ぎ部材の基部と変形部との間に耐火材を取り付ける第４の手順と、
結合部材の一端を前記層間塞ぎ部材の変形部の先端側に取り付けて、当該結合部材の他端を床部材に固定して、前記変形部の先端を内側に向けさせる第５の手順と、
外壁部材を取り付ける第６の手順と、
前記結合部材を取り外すことで、前記変形部の復元力によって、当該変形部の先端を外壁部材に当接させる第７の手順と、を備えることを特徴とする層間塞ぎ方法。
【発明の詳細な説明】
【技術分野】
【０００１】
本発明は、層間塞ぎ部材に関する。詳しくは、床部材と外壁部材との隙間を塞ぐ層間塞ぎ部材に関する。
【背景技術】
【０００２】
従来より、床スラブとカーテンウォールとの間の層間を塞ぐ方法としては、以下の２つの方法が知られている。
第１の方法は、床コンクリートを打設するためのコンクリート止め型枠に、カーテンウォールに向かって延びるように鉄筋やアングル材などの支持部材を溶接しておき、床コンクリート打設後に、この支持部材上にロックウールなどの耐火材を詰める方法である。
第２の方法は、カーテンウォールにロックウールなどの耐火材を貼り付けておき、この耐火材をコンクリート止め型枠として用いて、床コンクリートを打設する方法である（特許文献１参照）。
【特許文献１】特開２００８−２９３４６６号公報
【発明の開示】
【発明が解決しようとする課題】
【０００３】
ところで、平成２０年５月９日に国土交通省よりカーテンウォールの構造方法についての技術的助言が発表された。
この技術的助言によると、層間ふさぎは「１．６ｍｍ以上の鋼板の上に厚さ５０ｍｍ以上のモルタル、コンクリート又はロックウールで覆ったもの」と規定されている。よって、以上の従来の施工方法では、この基準を満たすことはできない。
【０００４】
本発明は、鋼板と耐火材とからなる層間塞ぎを、床部材と外壁部材との間に確実かつ容易に施工できる層間塞ぎ部材を提供することを目的とする。
【課題を解決するための手段】
【０００５】
（１）請求項１に記載の発明に係る層間塞ぎ部材は、床部材と外壁部材との隙間を塞ぐ層間塞ぎ部材であって、基部と、当該基部に設けられて弾性変形可能な変形部と、前記基部または変形部に支持された耐火材と、を備え、前記変形部は、前記基部が前記床部材に取り付けられた状態では、前記隙間に位置して、前記床部材および前記外壁部材のうち少なくとも一方に押圧されて変形することを特徴とする。
【０００６】
（２）請求項２に記載の発明に係る層間塞ぎ部材は、請求項１に記載の層間塞ぎ部材において、前記床部材は、鉄骨梁柱架構上にコンクリート止め型枠を取り付けて、このコンクリート止め型枠の内側に床コンクリートを打設することにより形成され、前記基部は、矩形平板状であり、前記コンクリート止め型枠に固定され、前記変形部は、前記基部の一辺縁から延出する湾曲した矩形状であることを特徴とする。
【０００７】
（３）請求項３に記載の発明に係る層間塞ぎ部材は、請求項１に記載の層間塞ぎ部材において、前記床部材は、鉄骨梁上にコンクリート止め型枠を取り付けて、このコンクリート止め型枠で囲まれた領域に床コンクリートを打設することにより形成され、前記基部は、矩形平板状であり、前記鉄骨梁に固定され、前記変形部は、前記基部の一辺縁から延出する湾曲した矩形状であることを特徴とする。
【０００８】
（４）請求項４に記載の発明に係る層間塞ぎ方法は、床部材と外壁部材との隙間を塞ぐ層間塞ぎ方法であって、建物外周の鉄骨梁柱架構上にコンクリート止め型枠を取り付ける第１の手順と、基部および当該基部に設けられて弾性変形可能な変形部を備える層間塞ぎ部材を前記コンクリート止め型枠の外側に配置し、前記基部を前記コンクリート止め型枠に固定する第２の手順と、外壁部材を取り付けて、当該外壁部材で前記層間塞ぎ部材の変形部を押圧して変形させる第３の手順と、前記コンクリート止め型枠の内側に床コンクリートを打設して床部材を形成する第４の手順と、前記層間塞ぎ部材の基部と変形部との間に耐火材を詰め込む第５の手順と、を備えることを特徴とする。
なお、請求項４に記載の発明に係る層間塞ぎ方法では、第１の手順、第２の手順、第３の手順、第４の手順、第５の手順の順番で実行してもよいし、第１の手順、第２の手順、第４の手順、第３の手順、第５の手順の順番で実行してもよい。
【０００９】
（５）請求項５に記載の発明に係る層間塞ぎ方法は、床部材と外壁部材との隙間を塞ぐ層間塞ぎ方法であって、建物外周の鉄骨梁柱架構上に、コンクリート止め型枠を取り付ける第１の手順と、基部および当該基部に設けられて弾性変形可能な変形部を備える層間塞ぎ部材を前記コンクリート止め型枠の外側に配置し、前記基部を前記コンクリート止め型枠に固定する第２の手順と、前記コンクリート止め型枠の内側に床コンクリートを打設して床部材を形成する第３の手順と、前記層間塞ぎ部材の基部と変形部との間に耐火材を取り付ける第４の手順と、結合部材の一端を前記層間塞ぎ部材の変形部の先端側に取り付けて、当該結合部材の他端を床部材に固定して、前記変形部の先端を内側に向けさせる第５の手順と、外壁部材を取り付ける第６の手順と、前記結合部材を取り外すことで、前記変形部の復元力によって、当該変形部の先端を外壁部材に当接させる第７の手順と、を備えることを特徴とする。
【００１０】
この発明によれば、基部を床部材に取り付けるだけで、変形部は、床部材と外壁部材との隙間に位置し、床部材および外壁部材のうち少なくとも一方に押圧されて変形し、床部材と外壁部材との隙間を塞ぐことになる。よって、変形部を鋼板で形成するだけで、鋼板と耐火材とからなる層間塞ぎを、床部材と外壁部材との間に確実かつ容易に施工できる。
【００１１】
また、変形部は、床部材および外壁部材のうち少なくとも一方に押圧されて変形可能であるので、床部材および外壁部材の施工誤差を吸収できる。
また、梁や柱と外壁部材との隙間が狭く、下階から作業ができない場合でも、上階から作業できる。
【発明の効果】
【００１２】
本発明によれば、基部を床部材に取り付けるだけで、変形部は、床部材と外壁部材との隙間に位置し、床部材および外壁部材のうち少なくとも一方に押圧されて変形し、床部材と外壁部材との隙間を塞ぐことになる。よって、変形部を鋼板で形成するだけで、鋼板と耐火材とからなる層間塞ぎを、床部材と外壁部材との間に確実かつ容易に施工できる。
【発明を実施するための最良の形態】
【００１３】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る層間塞ぎ部材１０の斜視図である。
層間塞ぎ部材１０は、平板材を厚さ１．６ｍｍの鋼板を折り曲げて形成され、基部１１と、この基部１１に設けられた変形部１２と、を備える。
基部１１は、矩形平板状である。
変形部１２は、湾曲した矩形状であり、基部１１の一辺縁からこの基部１１に略垂直に延出する。この変形部１２は、鋼板を蛇腹状に折り曲げて形成され、これにより、弾性変形可能となっている。
【００１４】
以下、層間塞ぎ部材１０を用いて、床部材としての床スラブ２０と外壁部材としてのカーテンウォール３０との間の層間塞ぎを行う２つの施工方法について説明する。最初に、第１の施工方法について説明する。
まず、鉄骨建方を行い、次に、外周の鉄骨梁あるいは鉄骨柱上に、折り曲げた鋼板をコンクリート止め型枠として取り付ける。ここでは、図２（ａ）に示すように、鉄骨梁２１上に断面Ｌ字形状のコンクリート止め型枠２２を取り付ける。
【００１５】
次に、層間塞ぎ部材１０をコンクリート止め型枠２２の外側に配置し、この層間塞ぎ部材１０の基部１１をコンクリート止め型枠２２の底部にビス２３で固定する。
次に、図２（ｂ）に示すように、カーテンウォール３０を取り付ける。すると、層間塞ぎ部材１０の変形部１２は、カーテンウォール３０に押圧されて変形する。
次に、図２（ｃ）に示すように、このコンクリート止め型枠２２の内側に床コンクリート２４を打設して床スラブ２０を形成し、その後、層間塞ぎ部材１０の基部１１と変形部１２との間に耐火材としてのロックウール１３を詰め込む。
【００１６】
以上により、層間塞ぎ部材１０は、床スラブ２０とカーテンウォール３０との隙間に位置して、この隙間を塞ぐことになる。
【００１７】
なお、この第１の施工方法では、カーテンウォール３０を取り付けた後に、床コンクリート２４を打設したが、これに限らない。すなわち、カーテンウォール３０を取り付ける前に、床コンクリート２４を打設してもよい。
【００１８】
次に、層間塞ぎ部材１０を用いて、床スラブ２０とカーテンウォール３０との間の層間塞ぎを行う第２の施工方法について説明する。
【００１９】
まず、図３（ａ）に示すように、鉄骨建方を行い、次に、外周の鉄骨梁あるいは鉄骨柱上に、折り曲げた鋼板をコンクリート止め型枠として取り付ける。ここでは、鉄骨梁２１上に断面Ｌ字形状のコンクリート止め型枠２２を取り付ける。
【００２０】
次に、層間塞ぎ部材１０をコンクリート止め型枠２２の外側に配置し、この層間塞ぎ部材１０の基部１１をコンクリート止め型枠２２の底部にビス２３で固定する。
次に、このコンクリート止め型枠２２の内側に床コンクリート２４を打設して床スラブ２０を形成し、その後、基部１１と変形部１２との間にロックウール１３を取り付ける。
次に、結合部材としてのなまし線２５を用意し、このなまし線２５の一端側を層間塞ぎ部材１０の変形部１２の先端側に取り付ける。そして床コンクリート２４に釘２６を打ち込み、なまし線２５の他端側を釘２６に固定する。このようにして、層間塞ぎ部材１０の変形部１２の先端を内側に向けておく。
なお、本実施形態では、釘２６を用いて、なまし線２５の他端側を床コンクリート２４に固定したが、これに限らず、他の手段を用いて、なまし線２５の他端側を床コンクリート２４に固定してもよい。
【００２１】
次に、図３（ｂ）に示すように、カーテンウォール３０を取り付けて、なまし線２５を取り外す。すると、層間塞ぎ部材１０の変形部１２の復元力によって、この変形部１２の先端がカーテンウォール３０に当接する。
【００２２】
以上により、層間塞ぎ部材１０は、床スラブ２０とカーテンウォール３０との隙間に位置して、この隙間を塞ぐことになる。
【００２３】
なお、この第２の施工方法では、床コンクリート２４を打設した後に、なまし線２５の他端側を床コンクリート２４に釘２６で固定することで、層間塞ぎ部材１０の変形部１２を内側に向けたが、これに限らない。すなわち、床コンクリート２４を打設する前に、なまし線２５の他端側をコンクリート止め型枠２２の上端に固定することで、層間塞ぎ部材１０の変形部１２を内側に向けてもよい。
【００２４】
また、第１の施工方法および第２の施工方法では、鉄骨梁２１上にコンクリート止め型枠２２を取り付けた後に、層間塞ぎ部材１０の基部１１をコンクリート止め型枠２２の底部にビス等で固定したが、これに限らない。すなわち、図４に示すように、層間塞ぎ部材１０の基部１１を鉄骨梁２１に溶接して固定し、この層間塞ぎ部材１０の基部１１に重ねて、コンクリート止め型枠２２をビス２３で固定してもよい。
【００２５】
本実施形態によれば、以下のような効果がある。
（１）基部１１を床スラブ２０に取り付けるだけで、変形部１２は、床スラブ２０とカーテンウォール３０との隙間に位置し、カーテンウォール３０に押圧されて変形し、隙間を塞ぐことになる。よって、鋼板と耐火材とからなる層間塞ぎを、床スラブ２０とカーテンウォール３０との間に確実かつ容易に施工できる。
【００２６】
また、変形部１２は、カーテンウォール３０に押圧されて変形可能であるので、床スラブ２０およびカーテンウォール３０の施工誤差を吸収できる。
また、梁や柱とカーテンウォール３０との隙間が狭く、下階から作業ができない場合でも、上階から作業できる。
【００２７】
〔第２実施形態〕
図５は、本発明の第２実施形態に係る層間塞ぎ部材１０Ａの斜視図である。
層間塞ぎ部材１０Ａは、厚さ１．６ｍｍの鋼板を折り曲げて形成され、基部１１Ａと、この基部１１Ａに設けられた変形部１２Ａと、を備える。
【００２８】
基部１１Ａは、矩形平板状の基部本体４１Ａと、この基部本体４１Ａの一辺縁から基部本体４１Ａに略垂直に延出する矩形平板状の係止部４２Ａと、を備える。
また、変形部１２Ａは、湾曲した矩形状であり、基部本体４１Ａの係止部４２Ａが設けられた辺縁に対向する辺縁から、係止部４２Ａの延出方向と反対方向に向かって延出する。この変形部１２Ａは、鋼板を蛇腹状に折り曲げて形成され、これにより、弾性変形可能となっている。
【００２９】
以下、層間塞ぎ部材１０Ａを用いて、床スラブ２０とカーテンウォール３０との間の層間塞ぎを行う手順について、図６を参照しながら説明する。
まず、鉄骨建方を行い、次に、外周の鉄骨梁あるいは鉄骨柱上に、折り曲げた鋼板をコンクリート止め型枠として取り付ける。ここでは、鉄骨梁２１上に断面Ｌ字形状のコンクリート止め型枠２２を取り付ける。
【００３０】
次に、カーテンウォール３０を取り付けて、その後、コンクリート止め型枠２２の内側に床コンクリート２４を打設して床スラブ２０を形成する。
次に、基部本体４１Ａがコンクリート止め型枠２２の端面に沿うように、層間塞ぎ部材１０Ａをコンクリート止め型枠２２とカーテンウォール３０との隙間に挿入する。そして、係止部４２Ａを床コンクリート２４の上面に係止させる。これにより、層間塞ぎ部材１０Ａの変形部１２Ａは、カーテンウォール３０に押圧されて変形する。
その後、基部１１Ａと変形部１２Ａとの隙間にロックウール１３を詰め込む。
【００３１】
以上により、層間塞ぎ部材１０Ａは、床スラブ２０とカーテンウォール３０との隙間に位置して、この隙間を塞ぐことになる。
【００３２】
本実施形態によれば、上述の（１）の効果と同様の効果がある。
【００３３】
〔第３実施形態〕
図７は、本発明の第３実施形態に係る層間塞ぎ部材１０Ｂの斜視図である。
層間塞ぎ部材１０Ｂは、平板材を厚さ１．６ｍｍの鋼板を折り曲げて形成され、基部１１Ｂと、この基部１１Ｂに設けられた変形部１２Ｂと、を備える。
【００３４】
基部１１Ｂは、矩形平板状の基部本体４１Ｂと、この基部本体４１Ｂの一辺縁から基部本体４１Ｂに略垂直に延出する矩形平板状の係止部４２Ｂと、を備える。
変形部１２Ｂは、断面半円形状であり、基部本体４１Ｂの一辺縁に対向する辺縁から、係止部４２Ｂの延出方向と同じ方向に向かって延出する。この変形部１２Ｂは、矩形状の鋼板を断面半円形状に曲げ加工して形成され、弾性変形可能となっている。
【００３５】
以下、層間塞ぎ部材１０Ｂを用いて、床スラブ２０とカーテンウォール３０との間の層間塞ぎを行う手順について、図８を参照しながら説明する。
まず、鉄骨建方を行い、次に、外周の鉄骨梁あるいは鉄骨柱上に、折り曲げた鋼板をコンクリート止め型枠として取り付ける。ここでは、鉄骨梁２１上にコンクリート止め型枠２２を取り付ける。
【００３６】
次に、カーテンウォール３０を取り付けて、このコンクリート止め型枠２２の内側に床コンクリート２４を打設して床スラブ２０を形成する。
次に、基部本体４１Ｂがカーテンウォール３０の表面に沿うように、層間塞ぎ部材１０Ｂをコンクリート止め型枠２２とカーテンウォール３０との隙間に挿入する。そして、係止部４２Ｂを床コンクリート２４の上面に係止させる。これにより、層間塞ぎ部材１０Ｂの変形部１２Ｂは、カーテンウォール３０に押圧されて変形する。
その後、変形部１２Ｂの上側にロックウール１３を詰め込む。
【００３７】
以上により、層間塞ぎ部材１０Ｂは、床スラブ２０とカーテンウォール３０との隙間に位置して、この隙間を塞ぐことになる。
【００３８】
本実施形態によれば、上述の（１）の効果と同様の効果がある。
【００３９】
なお、本実施形態では、基部１１Ｂを平板状としたが、これに限らない。すなわち、図９に示すように、基部１１Ｃを棒状としてもよい。すなわち、鉄筋を折り曲げることにより、基部１１Ｃを、棒状の基部本体４１Ｃと、この基部本体４１Ｃの一端から基部本体４１Ｃに略垂直に延出する棒状の係止部４２Ｃと、で構成してもよい。
【００４０】
〔第４実施形態〕
図１０は、本発明の第３実施形態に係る層間塞ぎ部材１０Ｃの斜視図である。
本実施形態では、層間塞ぎ部材１０Ｃは、基部１１Ｃと、この基部１１Ｃに設けられた変形部１２Ｃと、を備える。
【００４１】
基部１１Ｃは、鉄筋を折り曲げて形成され、棒状の基部本体４１Ｃと、この基部本体４１Ｃの一端から基部本体４１Ｃに略垂直に延出する棒状の係止部４２Ｃと、を備える。
変形部１２Ｃは、湾曲した矩形状であり、基部本体４１Ｃの他端に取り付けられる。この変形部１２Ｃは、厚さ１．６ｍｍの鋼板を折り曲げて形成され、弾性変形可能となっている。
【００４２】
以下、層間塞ぎ部材１０Ｃを用いて、床スラブ２０とカーテンウォール３０との間の層間塞ぎを行う手順について、図１１を参照しながら説明する。
まず、鉄骨建方を行い、次に、外周の鉄骨梁あるいは鉄骨柱上に、折り曲げた鋼板をコンクリート止め型枠として取り付ける。ここでは、鉄骨梁２１上にコンクリート止め型枠２２を取り付ける。
【００４３】
次に、カーテンウォール３０を取り付けて、このコンクリート止め型枠２２の内側に床コンクリート２４を打設して床スラブ２０を形成する。
次に、図１１に示すように、変形部１２Ｃが水平になるように、層間塞ぎ部材１０Ｃをコンクリート止め型枠２２とカーテンウォール３０との隙間に挿入する。そして、係止部４２Ｃを床コンクリート２４の上面に係止させる。これにより、層間塞ぎ部材１０Ｃの変形部１２Ｃは、カーテンウォール３０とコンクリート止め型枠２２とで押圧されて変形する。
その後、変形部１２Ｃの上側にロックウール１３を詰め込む。
【００４４】
本実施形態によれば、上述の（１）の効果と同様の効果がある。
【００４５】
なお、本発明は前記実施形態に限定されるものではなく、本発明の目的を達成できる範囲での変形、改良等は本発明に含まれるものである。
例えば、本実施形態としては、耐火材としてロックウールを用いたが、これに限らず、モルタルやコンクリートを用いてもよい。
【図面の簡単な説明】
【００４６】
【図１】本発明の第１実施形態に係る層間塞ぎ部材の斜視図である。
【図２】前記実施形態に係る層間塞ぎ部材の第１の施工方法を説明するための断面図である。
【図３】前記実施形態に係る層間塞ぎ部材の第２の施工方法を説明するための断面図である。
【図４】前記実施形態に係る層間塞ぎ部材の変形例を示す断面図である。
【図５】本発明の第２実施形態に係る層間塞ぎ部材の斜視図である。
【図６】前記実施形態に係る層間塞ぎ部材の施工方法を説明するための断面図である。
【図７】本発明の第３実施形態に係る層間塞ぎ部材の斜視図である。
【図８】前記実施形態に係る層間塞ぎ部材の施工方法を説明するための断面図である。
【図９】前記実施形態に係る層間塞ぎ部材の変形例を示す断面図である。
【図１０】本発明の第４実施形態に係る層間塞ぎ部材の斜視図である。
【図１１】前記実施形態に係る層間塞ぎ部材の施工方法を説明するための断面図である。
【符号の説明】
【００４７】
１０、１０Ａ、１０Ｂ、１０Ｃ    層間塞ぎ部材
１１、１１Ａ、１１Ｂ、１１Ｃ    基部
１２、１２Ａ、１２Ｂ、１２Ｃ    変形部
１３        ロックウール（耐火材）
２０        床スラブ（床部材）
２２        コンクリート止め型枠（床部材）
２４        床コンクリート（床部材）
２５        なまし線（結合部材）
３０        カーテンウォール（外壁部材）
４１Ａ、４１Ｂ、４１Ｃ          基部本体
４２Ａ、４２Ｂ、４２Ｃ          係止部
【図１】
2010059741.tif 000003
【図２】
2010059741.tif 000004
【図３】
2010059741.tif 000005
【図４】
2010059741.tif 000006
【図５】
2010059741.tif 000007
【図６】
2010059741.tif 000008
【図７】
2010059741.tif 000009
【図８】
2010059741.tif 000010
【図９】
2010059741.tif 000011
【図１０】
2010059741.tif 000012
【図１１】
2010059741.tif 000013